(57)【要約】      （修正有） 【課題】ベローズポンプユニットの部品の取り付けが容易で、各部品の交換もきわめて容易でより経済的な電気湯沸かし器を提供する。【解決手段】  ベローズポンプユニット９が、上部筒部４３と、下部筒部４４とを備えたベローズ３４と、ベローズ復帰用の第１スプリング３５と、吸気口を閉鎖するシールキャップ３９と、ベローズ内の操作桿３７と、内側下部に操作桿を保持しベローズの上部筒部内側より上端面に接した保持筒３６と、操作桿を復帰する第２スプリング４０と、操作桿の下端に装着したパッキング弁３８とを設け、ベローズの下部筒部４３を形成する周側壁外側に雄ねじ４８を刻設する一方、下蓋１６の中央開口を形成する周側壁内側上方にベローズの雄ねじと螺着する雌ねじ２５を刻設し、この中央開口の下方に空気押出口２６を備えた弁座２７を下蓋１６と一体的に設け、パッキング弁３８が常時は弁座２７の空気押出口２６を閉鎖する構成としている。【選択図】   図１
2005342201.tif 000002
【特許請求の範囲】
【請求項１】
内容器（２）を囲んだ外装体（Ａ）の上端に蓋体（７）を設け、この蓋体（７）の上蓋（１５）と下蓋（１６）との間にベローズポンプユニット（９）を設け、下蓋（１６）と内容器（２）の口元を開閉する覆板（１７）との間にベローズポンプユニット（９）のベローズ（３４）内の圧縮空気を内容器（２）内へ導く空気排出通路（２０）と内容器（２）内の蒸気を外部へ排出する蒸気排出通路（２１）とを備え、ベローズ（３４）を押圧し空気排出通路（２０）より内容器（２）内へ圧縮空気を導き、内容器（２）内の液体を吐出機構（８）を介して外部へ吐出する空気圧利用式の電気湯沸かし器（１）に於いて、上記ベローズポンプユニット（９）が、上端中央に吸気口を有する上部筒部（４３）と、下端中央に排気口を有する下部筒部（４４）とを備えたベローズ（３４）と、ベローズ内にあってベローズ復帰用の第１スプリング（３５）と、ベローズの上部筒部（４３）外側を上下動し吸気口を閉鎖するシールキャップ（３９）と、ベローズ内にあって下端が下蓋（１６）の中央開口を貫通する操作桿（３７）と、内側下部に操作桿を保持しベローズの上部筒部（４３）内側より上部筒部上端面に接した保持筒（３６）と、保持筒内にあって操作桿を復帰する第２スプリング（４０）と、操作桿の下端に装着したパッキング弁（３８）とを設け、ベローズの下部筒部（４３）を形成する周側壁外側に雄ねじ（４８）を刻設する一方、下蓋（１６）の中央開口を形成する周側壁内側上方にベローズの雄ねじと螺着する雌ねじ（２５）を刻設し、この中央開口の下方に空気押出口（２６）を備えた弁座（２７）を下蓋（１６）と一体的に設け、パッキング弁（３８）が常時は弁座（２７）の空気押出口（２６）を閉鎖することを特徴とした電気湯沸かし器。
【発明の詳細な説明】
【技術分野】
【０００１】
本発明は、電気湯沸かし器内の液体を吐出するためのベローズポンプユニットの取付け構造に関するものである。
【背景技術】
【０００２】
従来、蓋体内にベローズポンプユニットを設け、電気湯沸かし器内の液体をこのベローズポンプユニットを操作して注出する電気湯沸かし器としては、液容器の底部にヒータを張設し、液容器を囲んだ外装ケース下端に底部材を結合し、上端に肩部材を結合し、肩部材の中央にベローズポンプユニット内蔵の蓋体を着脱自在に装着した構造のものが特公平６−９３８６７号公報（特許文献１、図１及び図３参照）として存在する。
【０００３】
【特許文献１】特公平６−９３８６７号（図１及び図３）
【０００４】
以下、特許文献１の図１及び図３により従来の電気湯沸かし器について説明する。
この特許文献１の電気貯湯容器は、蓋体４内の中央にベローズポンプ３を設けており、このベローズポンプ３が押板１９、空気取入弁２０，操作桿２６、ベローズ上板２１、ベローズ２２、蓋体４の下蓋と兼用されたベローズ下板８、リターンスプリング２３等で構成され、押板１９の押圧操作によりベローズ２２から給気路を通して圧縮空気を供給して内溶液を加圧する構成としている。
【発明の開示】
【発明が解決しようとする課題】
【０００５】
ところが、この種の電気湯沸かし器のベローズポンプでは、ベローズ２２の上面を厚みのあるベローズ上板２１に溶着し、ベローズ２２の下面を蓋体４の下蓋と兼用されたベローズ下板８に溶着しているので、ベローズ２２内に挿入される操作桿２６や円錐状でベローズ復帰用のリターンスプリング２３、吸気用のスプリング並びに空気取入弁２０等の取り付けが非常に煩わしく困難であるという問題点があった。
【０００６】
又、一旦、ベローズ２２にベローズ上板２１及び特にベローズ下板８を溶着してしまうと、ベローズの離脱ができないために、上記のリターンスプリング２３や操作桿２６等の各部品の交換取り付けやベローズの破損に対しての取り替えができず、非経済的であるという問題点があった。
【課題を解決するための手段】
【０００７】
本発明は、ベローズポンプユニット９が、上端中央に吸気口を有する上部筒部４３と、下端中央に排気口を有する下部筒部４４とを備えたベローズ３４と、ベローズ内にあってベローズ復帰用の第１スプリング３５と、ベローズの上部筒部４３外側を上下動し吸気口を閉鎖するシールキャップ３９と、ベローズ内にあって下端が下蓋１６の中央開口を貫通する操作桿３７と、内側下部に操作桿を保持しベローズの上部筒部４３内側より上部筒部上端面に接した保持筒３６と、保持筒内にあって操作桿を復帰する第２スプリング４０と、操作桿の下端に装着したパッキング弁３８とを設け、ベローズの下部筒部４３を形成する周側壁外側に雄ねじ４８を刻設する一方、下蓋１６の中央開口を形成する周側壁内側上方にベローズの雄ねじと螺着する雌ねじ２５を刻設し、この中央開口の下方に空気押出口２６を備えた弁座２７を下蓋１６と一体的に設け、パッキング弁３８が常時は弁座２７の空気押出口２６を閉鎖する構成としている。
【発明の効果】
【０００８】
本発明は、従来の問題点を解決したものであって、ベローズポンプユニットのベローズを蓋体の下蓋に対して容易に取り付け、取り外しができ、ベローズポンプユニットの部品の取り付けが容易で、各部品の交換もきわめて容易でより経済的となる。
【発明を実施するための最良の形態】
【０００９】
電気湯沸かし器１は、有底筒状の内容器２と、内容器２の底部に張設するヒータ３と、内容器２を囲んだ底部材５と外装ケース４と肩部材６とを有する外装体Ａと、肩部材６の上端中央に開閉自在に装着する蓋体７と、蓋体７内で内容器２の液体を吐出機構８を介して外部へ吐出する空気圧利用式のベローズポンプユニット９とを備えた構成としている。
【００１０】
内容器２は、ステンレス等の金属製材料にて有底筒状に形成し、上端口元に外側に延びたフランジ部を設けており、底壁を中央に向けて段状に設け、前方に一方を後述の吐出機構８の下部ジョイントパイプと連通し他方を内容器２内と連通する下筒１０を設けている。
【００１１】
ヒータ３は、面状にして底壁外側の段状部に張設されており、遮蔽板１１にて内容器２の底壁外側に当接している。３３は、温度調節器で内容器２内の液温を感知してコンピュータ制御によりヒータ７をＯＮ、ＯＦＦしている。
【００１２】
外装体Ａの外装ケース４は、合成樹脂材料にて上下端開口の筒状に形成されており、内容器２との間に隙間を設けて内容器を囲んでいる。
【００１３】
外装体Ａの底部材５は、合成樹脂材料にて外装ケース４の下端に結合し、中央底部を開口した底体１２と、底体の中央底部の開口を閉鎖する金属製円盤状の底板１３とからなっている。この底板１３と内容器２の底壁との間には、ヒータ３のＯＮ、ＯＦＦ制御をする電子回路を備えた制御基盤等が納められている。１４は、外部電源を供給するプラグである。
【００１４】
外装ケース４の上端に結合した肩部材６は、中央を上下に開口した開口部を設け、開口部の前面に前方に延びた嘴部を設け、開口部の後面にヒンジ部を設けており、開口部を形成する周壁の下部に内側中央に向けて延びた環状内リブ部を設けている。
【００１５】
肩部材６の嘴部は、下方より上方に向けて空洞としており、この空洞に後述のスイッチ群や吐出機構の吐出パイプ等を内蔵しており、この嘴部の前方上面に各スイッチや吐出スイッチ等を表示した表示板を設けている。
【００１６】
肩部材６のヒンジ部に枢支し、肩部材６の開口部に開閉自在に装着する蓋体７は、図２に示すように、中央開口で前方にロック機構１８を備えた上蓋１５と、上蓋の下端面を覆う下蓋１６と、下蓋１６の下面にあって、内容器２の口元を覆うシールパッキンを備えた覆板１７と、下蓋１６と覆板１７との間にあって、空気排出路２０と蒸気排出路２１とを備えた通路構成部材１９からなっている。
【００１７】
蓋体７のロック機構１８は、レバー２２操作によってスライド板２３を前後移動させ、肩部材６の中央開口の前方壁に設けたスライド溝内にスライド板２３の先端を嵌め込み、又は離脱させて蓋体７をロック又はロック解除することができる。
【００１８】
蓋体７の上蓋１５は、中央開口でこの中央開口内より下方にベローズポンプユニット９を配置しており、中央開口の上面を覆うように押板２８を設け、後方に蒸気排出口３０を設けている。
【００１９】
蓋体７の下蓋１６は、図４に示すように、中央開口を形成する周側壁を下方に垂下した短筒状部２４を設け、この短筒状部２４の内側上方に後述のベローズの雄ねじと螺着する雌ねじ２５を刻設し、短筒状部２４の下端面に空気押出口２６を備えた弁座２７を一体的に設けている。
【００２０】
蓋体７の覆板１７は、ステンレス等の金属製材料にてほぼ平板状に形成されており、後述の通路構成部材１９の閉鎖弁部３１と連通する孔３２を設けている。
【００２１】
蓋体７の通路構成部材１９は、図２に示すように、下蓋１６の短筒状部２４より離れた下蓋１６の下壁面にシールパッキンを介して嵌合しており、弁座２７の空気押出口２６の下方に相当する位置に通路閉鎖口２９を設け、この通路閉鎖口２９下方より下蓋１６と覆板１７との間を回り込んで上蓋１５の蒸気排出口３０へと蒸気を導く蒸気排出路２１と、通路閉鎖口２９の上側方より閉鎖弁部３１を通り覆板１７の孔３２から内容器２内に連通する空気排出路２０とを備えている。この通路構成部材１９の空気排出路２０と蒸気排出路２１とは、通路閉鎖口２９以外の空気排出路２０周りで連通することはない。
【００２２】
ベローズポンプユニット９は、図３に示すように、蛇腹式のベローズ３４と、ベローズ３４内に挿入されベローズを復帰する第１スプリング３５と、ベローズの中央上端に支えられた保持筒３６と、上端を保持筒内で支持された操作桿３７と、操作桿の下端に嵌合し、下蓋１６の空気押出口２６を貫通して弁座２７の下側に当接するパッキング弁３８と、後述のベローズ３４の上部筒部４３上方より嵌め込まれたシールキャップ３９と、保持筒３６内の第２スプリング４０と、ベローズ３４の肩部に載置され、押板２８を支えるベローズ用上板４１とからなっている。
【００２３】
ベローズ３４は、合成樹脂材料にて薄い蛇腹状に形成されており、上端中央に吸気口を有する上部筒部４３と、下端中央に排気口を有する下部筒部４４とをわずかに肉厚として一体成形している。この上部筒部４３は、図５に示すように、上端外側にシールキャップ３９を嵌合する突起部４５を設け、上端内側に保持筒３６の外周フランジ部４６を載置する環状くぼみ部４７を設けている。この上部筒部４３の上端面は、保持筒３６の外周フランジ部４６を環状くぼみ部４７に当接すると、平坦な面一を形成することとなり、シールキャップ３９の下側面に密に接触することができる。
【００２４】
ベローズ３４の下部筒部４４は、図６に示すように、下端外側に下蓋１６の短筒状部２４に設けた雌ねじ２５と螺着する雄ねじ４８を刻設し、下蓋１６の短筒状部２４にベローズ３４の下部筒部４４を螺着して、ベローズ３４と下蓋１６とを装着している。
【００２５】
第１スプリング３５は、円筒状に形成されており、ベローズ３４の下部筒部４４の内径よりも小さい外径を有している。この第１スプリング３５は、上端をベローズ３４の上部筒部４３内側面に当接し、下端を弁座２７の上側面に当接している。第１スプリング３５は、従来のように円錐状でなく、しかもベローズ３４の下部筒部４４の内径よりも小さい外径を有しているので、ベローズ３４の下部筒部４４より自由に挿入することができ、組み込みが非常に容易となる。
【００２６】
操作桿３７は、ベローズ３４内の第１スプリング３５内側にあって、円筒状の上端外側にフランジ部４９を設け、円筒状の下端外側にパッキング弁３８を嵌め込む環状溝５０を設けている。
【００２７】
保持筒３６は、上方に向けやや広がった有底筒状に形成されており、有底筒状の上端外側にベローズ３４の上部筒部４３の環状くぼみ部４７に当接する外周フランジ部４６を設け、底部の中央に操作桿３７の円筒部分を貫通し、フランジ部４９を底部上側に当接するような貫通口５１を設けている。
【００２８】
ベローズポンプユニット９の組み立てに際しては、先ず保持筒３６の上方より保持筒内に操作桿３７を落とし込み、操作桿のフランジ部４９が保持筒の底部上側に当接した状態で保持筒内に第２スプリング４０を挿入する。次に、この保持筒３６をベローズ３４の上部筒部４３よりベローズ内に落とすと、保持筒の外周フランジ部４６が上部筒部の環状くぼみ部４７に当接し、上部筒部の上端面を平坦面とすることができる。
【００２９】
更に、シールキャップ３９をベローズの上部筒部４３上方より押圧することによって、シールキャップが上部筒部の突起部４５を飛び越えて上部筒部外側壁に嵌め込まれる。このときシールキャップ３９の内側下面に第２スプリング４０の上端を当接する。
【００３０】
次に、ベローズ３４の下部筒部４４より第１スプリング３５を差し込んだ状態で、ベローズの下部筒部４４の雄ねじ４８を下蓋１６の短筒状部の雌ねじ２５に螺着した後、シールキャップ３９を押し下げ、下蓋の弁座２７を貫通した操作桿３７の下端にパッキング弁３８を嵌め込み、シールキャップ３９を押し下げた手を離せば、ベローズ３４、操作桿３７、操作桿３７等が復帰する。これらの復帰により、パッキング弁３８が弁座２７の下側に当接して、弁座２７の空気押出口２６を閉鎖した状態に維持する。
【００３１】
更に、ベローズ３４の上面にベローズ用上板４１を被せ、このベローズ用上板４１の上に上蓋１５の中央開口を覆った押板２８を被せるようにして、上蓋１５と下蓋１６とを結合すれば、ベローズポンプユニット９を内蔵した蓋体７ができあがる。
【００３２】
このように、ベローズ３４を下蓋１６に螺着するだけで、しかもベローズポンプユニット９の各部品周りに溶接箇所が存在しないために、組み立てに手間がかからず、容易に取り付けできると共にベローズポンプユニット９の各部品の取り外しもきわめて簡単に行うことができ、部品交換もスムーズに行うことができる。
【００３３】
吐出機構８は、内容器２内の液量を表示する液量表示パイプ５２と、内容器２内の液体を外部へ吐出する吐出パイプ５３と、内容器２の下筒１０と液量表示パイプ５２とを連通するジョイントパイプ５４と、液量表示パイプ５２と吐出パイプ５３との間にあって転倒時液量表示パイプ内の液体を止めて吐出パイプからの流出を阻止する転倒流水弁部５５とからなっている。
【００３４】
外装体Ａに蓋体７がセットされた状態で、押板２８を押し下げるとシールキャップ３９がベローズ３４の上部筒部４３上面を閉鎖しつつ、第１スプリング３５に抗してベローズ３４を押し下げると同時に、パッキング弁３８が通路構成部材１９の通路閉鎖口２９を閉鎖し、ベローズ内の圧縮された空気が弁座２７の空気押出口２６を経て通路閉鎖口２９の上側方の空気排出路２０より閉鎖弁部３１を通り覆板１７の孔３２から内容器２内に排出され、内容器２内の液面を押し下げる。この押し下げられた液体が吐出機構８を介して吐出パイプ５３より外部へ吐出される。
【００３５】
又、押板２８の手を離すと、第１スプリング３５にてベローズポンプユニット９が元の位置に復帰し、シールキャップ３９が弁座２７の空気押出口２６を閉鎖する。この閉鎖により内容器２内の蒸気が、通路構成部材１９の閉鎖弁部３１を通り通路閉鎖口２９より蒸気排出路２１を経て上蓋１５の蒸気排出口３０から外部へ排出される。
【００３６】
以上本発明の代表的と思われる実施例について説明したが、本発明は必ずしもこれら実施例構造のみに限定されるものではなく、本発明にいう前記の構成要件を備え、かつ、本発明にいう目的を達成し、本発明にいう効果を有する範囲内において適宜改変して実施することができるものである。
【図面の簡単な説明】
【００３７】
【図１】本発明実施例の縦断面図。
【図２】本発明実施例の蓋体を示す縦断面図。
【図３】本発明実施例のベローズポンプユニットの分解断面図。
【図４】本発明実施例の下蓋の一部を示す縦断面図。
【図５】本発明実施例のベローズの上部筒部の一部を示す縦断面図。
【図６】本発明実施例のベローズの下部筒部の一部を示す縦断面図。
【符号の説明】
【００３８】
１…電気湯沸かし器
２…内容器
３…ヒータ
Ａ…外装体
４…外装ケース
５…底部材
６…肩部材
７…蓋体
８…吐出機構
９…ベローズポンプユニット
１９…通路構成部材
２５…雌ねじ
２６…空気押出口
２７…弁座
２９…通路閉鎖口
３４…ベローズ
３５…第１スプリング
３６…保持筒
３７…操作桿
３８…パッキング弁
３９…シールキャップ
４０…第２スプリング
４３…上部筒部
４４…下部筒部
４８…雄ねじ
【図１】
2005342201.tif 000003
【図２】
2005342201.tif 000004
【図３】
2005342201.tif 000005
【図４】
2005342201.tif 000006
【図５】
2005342201.tif 000007
【図６】
2005342201.tif 000008